(57)【特許請求の範囲】
【請求項１】
液状内容物を吸い込んで外部へ吐出するポンプの吸い込み管が差し込まれる吸い出し口が上面部に設けられた詰め替え用液状内容物収容用紙製内容器であって、
前記紙製内容器は、両面に熱可塑性樹脂を積層した紙素材からなり、４つの胴部パネルを備え、縦方向シールパネルによって縁部が接合されて四角の筒状に形成された胴部を有し、前記紙製内容器の上面部は、前記胴部パネルの上端に、互いに対向し上下に重ねられる一対の上面部形成パネルと、前記一対の上面部形成パネルの間に位置して互いに対向し、前記一対の上面部形成パネルの重ね合わせに伴って外側に折り畳まれる一対の側面パネルが連設され、前記一対の前記上面部形成パネルには、そのいずれにも、その中央に位置して前記吸い出し口となる穴が形成され、前記一対の上面部形成パネルのうちの少なくとも下側の上面部形成パネルに形成された穴は、破断可能なフィルムで封止されており、前記一対の上面部形成パネルのうちの下側に重ねられた上面部形成パネルの周囲と、前記上側に重ねられた上面部形成パネル及び前記側面パネルとがシールされて形成されていることを特徴とする詰め替え用液状内容物収容用紙製内容器。
【請求項２】
前記紙製内容器の底面部は、前記胴部パネルの下端に、下部に帯状の外側シールパネルを有し互いに対向する一対の切妻屋根形底面形成パネルと、前記外側シールパネルよりも低い高さの帯状の内側シールパネルを有し互いに対向する一対の妻壁形底面形成パネルが連設され、前記切妻屋根形底面形成パネル間に前記妻壁形底面形成パネルが折り込まれて、対向する前記外側シールパネルの対向面同士がシールされるとともに、前記外側シールパネルと前記内側シールパネルとの対向面同士および前記内側シールパネルの対向面同士もまたシールされて形成されていることを特徴とする請求項１に記載の詰め替え用液状内容物収容用紙製内容器。
【発明の詳細な説明】
【技術分野】
【０００１】
本発明は、詰め替え用容器に収容されて使用される詰め替え用液状内容物収容用紙製内容器に関する。
【背景技術】
【０００２】
液状内容物の詰め替えが可能な詰め替え容器にあって、詰め替え用液状内容物を収容した容器を内容器として用意し、詰め替え容器内に内容器を収容した状態で内容器内の液状内容物を取り出し、内容器内の液状内容物を消尽したら、詰め替え容器から内容器を取り出し、新しい内容器に交換することにより詰め替えを行えるようにしたものがある。
このような詰め替え容器で使用される内容器として、合成樹脂で形成された容器（例えば、特許文献１参照。）や、パウチと称される袋状の容器（例えば、特許文献２参照。）が知られている。
【先行技術文献】
【特許文献】
【０００３】
【特許文献１】特開２００３−２５２３３８号公報
【特許文献２】特表２０１３−５００９０７号公報
【発明の概要】
【発明が解決しようとする課題】
【０００４】
しかしながら、特許文献１、２に記載されている詰め替え容器で使用される内容器は合成樹脂製であるため、取り替え後の使用済み内容器が産業廃棄物となり、廃棄が面倒であるといった問題がある。このような問題を解消するものとして、内容器を紙製にすることが考えられるが、この場合、次のような問題が生じることになる。
【０００５】
詰め替え容器として、蓋体に容器本体内に収容された内容器内の液状内容物を吸い込んで外部へ吐出するポンプを備え、容器本体の開口部を蓋体で閉じたとき、蓋体の下側に配置されているポンプの吸い込み管が、容器本体内に収容されている内容器の上面部に形成された吸い込み口に挿入されるようになっている場合、蓋体に備えられたポンプは、作業のし易さから蓋体の中央に設けられている。このような詰め替え容器に対応するために、内容器も吸い込み口は上面部の中央に形成されることが求められる。液体を収容する紙容器として、ゲーブルトップ型紙容器やフラットトップ型紙容器が知られているが、これらの紙容器では頂部の構造上、上面部の中央に吸い込み口を形成することはできず、紙容器を液体を収容する内容器とした場合、その上面部の中央に吸い込み口を形成させることは困難であるといった問題がある。
【０００６】
本発明の目的は、上面部の中央に吸い出し口を容易に形成することができる詰め替え用液状内容物収容用紙製内容器を提供することにある。
本発明の他の目的は、液状内容物を最後まで確実に吸い出すことができる詰め替え用液状内容物収容用紙製内容器を提供することにある。
【課題を解決するための手段】
【０００７】
上記の目的を達成するために、請求項１に記載の発明は、液状内容物を吸い込んで外部へ吐出するポンプの吸い込み管が差し込まれる吸い出し口が上面部に設けられた詰め替え用液状内容物収容用紙製内容器であって、前記紙製内容器は、両面に熱可塑性樹脂を積層した紙素材からなり、４つの胴部パネルを備え、縦方向シールパネルによって縁部が接合されて四角の筒状に形成された胴部を有し、前記紙製内容器の上面部は、前記胴部パネルの上端に、互いに対向し上下に重ねられる一対の上面部形成パネルと、前記一対の上面部形成パネルの間に位置して互いに対向し、前記一対の上面部形成パネルの重ね合わせに伴って外側に折り畳まれる一対の側面パネルが連設され、前記一対の前記上面部形成パネルには、そのいずれにも、その中央に位置して前記吸い出し口となる穴が形成され、前記一対の上面部形成パネルのうちの少なくとも下側の上面部形成パネルに形成された穴は、破断可能なフィルムで封止されており、前記一対の上面部形成パネルのうちの下側に重ねられた上面部形成パネルの周囲と、前記上側に重ねられた上面部形成パネル及び前記側面パネルとがシールされて形成されていることを特徴とする。
【０００８】
請求項２に記載の発明は、請求項１に記載の、前記紙製内容器の底面部は、前記胴部パネルの下端に、下部に帯状の外側シールパネルを有し互いに対向する一対の切妻屋根形底面形成パネルと、前記外側シールパネルよりも低い高さの帯状の内側シールパネルを有し互いに対向する一対の妻壁形底面形成パネルが連設され、前記切妻屋根形底面形成パネル間に前記妻壁形底面形成パネルが折り込まれて、対向する前記外側シールパネルの対向面同士がシールされるとともに、前記外側シールパネルと前記内側シールパネルとの対向面同士および前記内側シールパネルの対向面同士もまたシールされて形成されていることを特徴とする。
【発明の効果】
【００１０】
請求項１に記載の詰め替え用紙製内容器によれば、前記紙製内容器は、両面に熱可塑性樹脂を積層した紙素材からなり、４つの胴部パネルを備え、縦方向シールパネルによって縁部が接合されて四角の筒状に形成された胴部を有し、前記紙製内容器の上面部は、前記胴部パネルの上端に、互いに対向し上下に重ねられる一対の上面部形成パネルと、前記一対の上面部形成パネルの間に位置して互いに対向し、前記一対の上面部形成パネルの重ね合わせに伴って外側に折り畳まれる一対の側面パネルが連設され、前記一対の前記上面部形成パネルには、そのいずれにも、その中央に位置して前記吸い出し口となる穴が形成され、前記一対の上面部形成パネルのうちの少なくとも下側の上面部形成パネルに形成された穴は、破断可能なフィルムで封止されており、前記一対の上面部形成パネルのうちの下側に重ねられた上面部形成パネルの周囲と、前記上側に重ねられた上面部形成パネル及び前記側面パネルとがシールされて形成されているので、前記紙製内容器の上面部の中央に吸い出し口を容易に形成することができ、液状内容物は前記紙製内容器に封入された状態とすることができる。
【００１１】
このように構成された前記紙製内容器を詰め替え容器に収容すると、紙製内容器の上面部に形成された吸い出し口は詰め替え容器における容器本体の開口部の中央に位置するので、前記ポンプを前記容器本体の開口部を閉じる蓋体の中央に設けることにより、前記容器本体の開口部を閉じる前記蓋体の向きに拘わらず、前記容器本体の開口部を蓋体で閉じたとき、前記蓋体の下側に配置されている前記吸い込み管が、前記紙製内容器の上面部に形成された前記吸い出し口から前記紙製内容器内へ確実に挿入するので、液状内容物を封入した紙製内容器の交換作業を容易に行うことができる。
【００１２】
請求項２に記載の詰め替え用紙製内容器によれば、前記紙製内容器の底面部は、前記胴部パネルの下端に、下部に帯状の外側シールパネルを有し互いに対向する一対の切妻屋根形底面形成パネルと、前記外側シールパネルよりも低い高さの帯状の内側シールパネルを有し互いに対向する一対の妻壁形底面形成パネルが連設され、前記切妻屋根形底面形成パネル間に前記妻壁形底面形成パネルが折り込まれて、対向する前記外側シールパネルの対向面同士がシールされるとともに、前記外側シールパネルと前記内側シールパネルとの対向面同士および前記内側シールパネルの対向面同士もまたシールされて形成されているので、前記紙製内容器の底面部が下向き四角錐形となる。
【００１３】
これにより、前記紙製内容器内の液状内容物は、少なくなると底面部における下向き四角錐形の頂部に集まることになり、詰め替え容器における容器本体の開口部を蓋体で閉じ、前記蓋体の下側に配置されている前記吸い込み管を前記紙製内容器内へ挿入したとき、前記吸い込み管の先端が前記紙製内容器の底面部における下向き四角錐形の頂部に位置するように設定することにより、前記紙製内容器内の液状内容物を最後まで確実に吸い出すことができる。
【００１６】
さらに、前記紙製内容器の底面部は、前記胴部パネルの下端に、下部に帯状の外側シールパネルを有し互いに対向する一対の切妻屋根形底面形成パネルと、前記外側シールパネルよりも低い高さの帯状の内側シールパネルを有し互いに対向する一対の妻壁形底面形成パネルが連設され、前記切妻屋根形底面形成パネル間に前記妻壁形底面形成パネルが折り込まれて、対向する前記外側シールパネルの対向面同士がシールされるとともに、前記外側シールパネルと前記内側シールパネルとの対向面同士および前記内側シールパネルの対向面同士もまたシールされて形成されているので、前記紙製内容器の底面部が下向き四角錐形となる。
【００１７】
これにより、前記紙製内容器内の液状内容物は、少なくなると底面部における下向き四角錐形の頂部に集まることになり、詰め替え容器における容器本体の開口部を蓋体で閉じ、前記蓋体の下側に配置されている前記吸い込み管を前記紙製内容器内へ挿入したとき、前記吸い込み管の先端が前記紙製内容器の底面部における下向き四角錐形の頂部に位置するように設定することにより、前記紙製内容器内の液状内容物を最後まで確実に吸い出すことができる。
【図面の簡単な説明】
【００１８】
【図１】本発明に係る詰め替え用紙製内容器の実施の形態の一例を示す斜視図である。
【図２】図１のＡ−Ａ断面図である。
【図３】図１のＢ−Ｂ断面図である。
【図４】図１に示す詰め替え用紙製内容器の組み立て加工前のカートンブランクを示す展開図である。
【図５】図１に示す詰め替え用紙製内容器の上面部を形成する工程を示す説明図である。
【図６】図１に示す詰め替え用紙製内容器の上面部を形成する工程を示す説明図である。
【図７】図１に示す詰め替え用紙製内容器を収容する詰め替え容器の一例を示す分解斜視図である。
【図８】図７に示す詰め替え容器に図１に示す詰め替え用紙製内容器を収容した状態を示す縦断面説明図である。
【発明を実施するための形態】
【００１９】
以下、本発明に係る詰め替え用紙製内容器の実施の形態の一例を図面を参照して詳細に説明する。
図１は本発明に係る詰め替え用紙製内容器の実施の形態の一例を示す斜視図、図２は図１のＡ−Ａ断面図、図３は図１のＢ−Ｂ断面図、図４は図１に示す詰め替え用紙製内容器の組み立て加工前のカートンブランクを示す展開図、図５は図１に示す詰め替え用紙製内容器の上面部を形成する工程を示す説明図、図６は図１に示す詰め替え用紙製内容器の上面部を形成する工程を示す説明図、図７は図１に示す詰め替え用紙製内容器を収容する詰め替え容器の一例を示す分解斜視図、図８は図７に示す詰め替え容器に図１に示す詰め替え用紙製内容器を収容した状態を示す縦断面説明図である。
【００２０】
本例の詰め替え用の紙製内容器１は、両面に熱可塑性樹脂を積層した紙素材からなり、胴部縦折線２，３，４を介して４つの胴部パネル５，６，７，８を備え、胴部パネル８にシール縦折線９を介して連設した縦方向シールパネル１０によって胴部パネル５の縁部が接合されて四角の筒状に形成された胴部を有している。
【００２１】
紙製内容器１の上面部１２にあっては、本例では次のように構成されている。
胴部パネル５，７の上端に、頂部横折線１３，１４を介して互いに対向し上下に重ねられる一対の上面部形成パネル１５，１６が連設され、そして、上面部形成パネル１５の下側に重なる上面部形成パネル１６の上端には、上面部形成パネル１５の内面にシールされるシールパネル１７が連設されている。
【００２２】
また、胴部パネル６，８の上端に、前記した一対の上面部形成パネル１５，１６の間に位置して互いに対向し、一対の上面部形成パネル１５，１６の重ね合わせに伴って折り畳まれる一対の側面パネル１８，１９が、頂部横折線２０，２１を介して連設されている。
【００２３】
また、上面部形成パネル１５，１６には、それぞれの中央に位置して吸い出し口２２となる穴２３ａ，２３ｂが形成されており、穴２３ａ，２３ｂは上面部形成パネル１５，１６を重ねたとき穴２３ａと穴２３ｂの中心が一致するように開口している。そして、上面部形成パネル１６の裏面には、破断可能なフィルム２４が穴２３ｂを塞ぐように設けられており、後述するポンプ４２の吸い込み管４５を突き刺すことにより破断できるようになっている。
【００２４】
なお、本例では、穴２３ｂを塞ぐフィルム２４は上面部形成パネル１６の裏面に設けられているが、これに限らず、上面部形成パネル１６の表面に設けられていてもよく、また、上面部形成パネル１６の表裏両面に設けられていてもよい。
フィルム２４としては、ポリエチレン、ポリプロピレン、ポリエステル、セロファン等の公知のフィルムが使用可能であるが、特に限定されない。フィルム２４が熱可塑性樹脂であると、ヒートシールにより上面部形成パネル１６に形成されている穴２３ｂを容易に塞ぐことができる。
また、フィルム２４には、破断性、遮光性、酸素バリア性等の向上を目的としてアルミ箔や紙などを積層してもよい。
【００２５】
上面部形成パネル１５，１６と側面パネル１８，１９とによる紙製内容器１の上面部１２の形成にあっては、胴部１１を形成した後、先ず、上面部形成パネル１６を内側へ折り、これに伴うように、側面パネル１８，１９を三角形状に内面側へ折り畳み、胴部１１の上側開口部を上面部形成パネル１６で塞ぐ。そして、上面部形成パネル１６の上端に連設されているシールパネル１７を上面部形成パネル１５の内面にＳ１の範囲でシールするとともに、上面部形成パネル１６の両側縁を三角形状に折り畳んだ側面パネル１８，１９をＳ２の範囲でシールする（図５参照。）。
【００２６】
次に、側面パネル１８，１９を外側（図５で示す矢印方向。）に折り畳むようにして上面部形成パネル１５を上面部形成パネル１６の上に重ね（図６参照。）、折り畳まれて胴部１１の外側へ突出した側面パネル１８，１９を下方（図６で示す矢印方向。）へ折り、胴部１１へ接着等により固定して上面部１２が形成される。
【００２７】
また、紙製内容器１の底面部２５にあっては、本例では次のように構成されている。
胴部パネル５，７の下端に、底部横折線２６，２７を介して互いに対向する一対の切妻屋根形底面形成パネル２８，２９が連設されている。切妻屋根形底面形成パネル２８，２９の下部には帯状の外側シールパネル３０，３１が連設されている。
また、胴部パネル６，８の下端に、底部横折線３２，３３を介して互いに対向する一対の妻壁形底面形成パネル３４，３５が連設されている。妻壁形底面形成パネル３４，３５の下部には外側シールパネル３０，３１よりも低い高さの帯状の内側シールパネル３６，３７が連設されている。
【００２８】
そして、切妻屋根形底面形成パネル２８，２９と妻壁形底面形成パネル３４，３５とによる底面部２５の形成にあっては、切妻屋根形底面形成パネル２８，２９間に妻壁形底面形成パネル３４，３５が折り込まれて、対向する外側シールパネル３０，３１の対向面同士がシールされるとともに、外側シールパネル３０，３１と内側シールパネル３６，３７との対向面同士および内側シールパネル３６，３７の対向面同士もまたシールされ、いわゆる逆ゲーブルトップ形の下向き四角錐形に形成されている（図２、図３参照。）。
【００２９】
このように構成した紙製内容器１によれば、上面部１２は、胴部パネル５，６，７，８の上端に、互いに対向し上下に重ねられる一対の上面部形成パネル１５，１６と、上面部形成パネル１５，１６の間に位置して互いに対向し、上面部形成パネル１５，１６の重ね合わせに伴って折り畳まれる一対の側面パネル１８，１９が連設され、上面部形成パネル１５，１６には、その中央に位置して吸い出し口２２となる穴２３ａ，２３ｂが形成され、下側に重ねられた上面部形成パネル１６の周囲と上側に重ねられた上面部形成パネル１５及び側面パネル１８，１９とがシールされて形成されているので、紙製内容器１の上面部１２の中央に吸い出し口２２を容易に形成することができる。
【００３０】
また、底面部２５は、胴部パネル５，６，７，８の下端に、下部に外側シールパネル３０，３１を有し互いに対向する一対の切妻屋根形底面形成パネル２８，２９と、外側シールパネル３０，３１よりも低い高さの内側シールパネル３６，３７を有し互いに対向する一対の妻壁形底面形成パネル３４，３５が連設され、切妻屋根形底面形成パネル２８，２９間に妻壁形底面形成パネル３４，３５が折り込まれて、外側シールパネル３０，３１の対向面同士がシールされるとともに、外側シールパネル３０，３１と内側シールパネル３６，３７との対向面同士および内側シールパネル３６，３７の対向面同士もまたシールされて形成されているので、下向き四角錐形の底面部２５を容易に形成することができる。
【００３１】
図７は上記のように構成された紙製内容器１を収容する詰め替え容器の一例を示すものであって、本例の詰め替え容器３８は、上部に開口部３９を有するプラスチック製の容器本体４０と、容器本体４０の開口部３９を閉じるプラスチック製の蓋体４１と、蓋体４１に設けられ、容器本体４０内に収容された紙製内容器１内の液状内容物を吸い込んで外部へ吐出するポンプ４２とからなる。
【００３２】
ポンプ４２は、筒状シリンダ部４３と、筒状シリンダ部４３の上部に設けられ、筒状シリンダ部４３内に摺動自在に嵌合するピストンの操作部を兼ねる吐出ノズル４４と、筒状シリンダ部４３の下部に設けられた吸い込み管４５で構成されている。ポンプ４２は蓋体４１の中央に設けられ、筒状シリンダ部４３は蓋体４１に、その中央部を貫通して固定され、蓋体４１の上側に吐出ノズル４４が配置され、蓋体４１の下側に吸い込み管４５が配置されている。
そして、容器本体４０の開口部３９を蓋体４１で閉じたとき、紙製内容器１の上面部１２に形成された吸い出し口２２から、蓋体４１の下側に配置されている吸い込み管４５が紙製内容器１内へ挿入されるようになっている。
【００３３】
このように構成された詰め替え容器３８の容器本体４０内へ本発明に係る紙製内容器１を収容すると、紙製内容器１の上面部１２に形成された吸い出し口２２は詰め替え容器３８における容器本体４０の開口部３９の中央に位置するので、容器本体４０の開口部３９を閉じる蓋体４１の向きに拘わらず、容器本体４０の開口部３９を蓋体４１で閉じたとき、蓋体４１の下側に配置されている吸い込み管４５が、紙製内容器１の上面部１２に形成された吸い出し口２２から紙製内容器１内へ確実に挿入することになり、液状内容物を封入した紙製内容器１の交換作業を容易に行うことができる。
【００３４】
また、紙製内容器１の底面部２５が下向き四角錐形となっているので、紙製内容器１内の液状内容物は、少なくなると底面部２５における下向き四角錐形の頂部に集まることになり、詰め替え容器３８における容器本体４０の開口部３９を蓋体４１で閉じ、蓋体４１の下側に配置されている吸い込み管４５を紙製内容器１内へ挿入したとき、吸い込み管４５の先端が紙製内容器１の底面部２５における下向き四角錐形の頂部に位置するように設定することにより（図８参照。）、紙製内容器１内の液状内容物を最後まで確実に吸い出すことができることになる。
【符号の説明】
【００３５】
１  紙製内容器
２，３，４  胴部縦折線
５，６，７，８  胴部パネル
９  シール縦折線
１０  縦方向シールパネル
１１  胴部
１２  上面部
１３，１４  頂部横折線
１５，１６  上面部形成パネル
１７  シールパネル
１８，１９  側面パネル
２０，２１  頂部横折線
２２  吸い出し口
２３ａ，２３ｂ  穴
２４  フィルム
２５  底面部
２６，２７  底部横折線
２８，２９  切妻屋根形底面形成パネル
３０，３１  外側シールパネル
３２，３３  底部横折線
３４，３５  妻壁形底面形成パネル
３６，３７  内側シールパネル
３８  詰め替え容器
３９  開口部
４０  容器本体
４１  蓋体
４２  ポンプ
４３  筒状シリンダ部
４４  吐出ノズル
４５  吸い込み管
【図１】
0006660120.tif 000002
【図２】
0006660120.tif 000003
【図３】
0006660120.tif 000004
【図４】
0006660120.tif 000005
【図５】
0006660120.tif 000006
【図６】
0006660120.tif 000007
【図７】
0006660120.tif 000008
【図８】
0006660120.tif 000009